(57)【要約】【課題】  遊技領域における遊技性を低減させることなく遊技領域の内外で見易く画面表示を行うことができる遊技機を提供する。【解決手段】  パチンコ機１は、窓部４１の上方にて前方へ張り出し且つ遊技領域外縁部１４ａ上部と正面視で重なるように張出し部４６が形成され、遊技領域１４内に複数の図柄列を変動表示する図柄変動表示装置５７が設けられると共に、張出し部４６には所定の画面表示を行う上部表示装置６８が設けられているので、遊技領域１４における遊技性を低減させることなく遊技領域１４の内外で見易く画面表示を行うことができる。【選択図】        図１
2006223689.tif 000002
【特許請求の範囲】
【請求項１】
遊技球が打ち込まれる遊技領域を有する遊技盤と、その遊技盤の前面側に設けられ且つ前記遊技領域を外部から視認させる窓が形成された窓枠とを備えた遊技機であって、
前記窓の近傍にて前方へ張り出し且つ前記遊技領域の外縁部の少なくとも一部と正面視で重なるように形成された張出し部と、
前記遊技領域内に設けられ、複数の図柄列を変動表示する第１の表示装置と、
前記張出し部に設けられ、所定の画面表示を行う第２の表示装置と
を備えたことを特徴とする遊技機。
【発明の詳細な説明】
【技術分野】
【０００１】
本発明は、パチンコ遊技機等の遊技機に関するものであり、特に、遊技球が打ち込まれる遊技領域内に表示装置を備えた遊技機に関するものである。
【背景技術】
【０００２】
従来、パチンコ遊技機には、遊技球が打ち込まれる遊技領域内に、図柄列の並びによって大当り状態等が発生する図柄変動表示装置を備えたタイプのものがある。このようなパチンコ遊技機にあっては、図柄変動表示装置が遊技中に遊技者によって最も注目される部位であることから、表示装置を大型化したり、遊技領域内に設けた複数の表示器によって構成する等により表示領域を大きくして、表示効果を高めようとする傾向がある。しかしながら、上記のように表示装置を大型化したり、複数の表示器にて構成する場合、表示効果は向上するものの、遊技領域内において図柄変動表示装置が大きなスペースを占有することになる。この場合、遊技者が遊技領域内に打ち込んだ打球の流下領域や、遊技領域内に設けられる役物、遊技効果ランプ等の配置スペースが狭くなる等、遊技領域における制約事項が多くなり、遊技性が著しく低減してしまうといった問題を有していた。かかる問題点に鑑みて、特許文献１には、遊技領域を臨む窓部が設けられた窓枠において、窓部を除く周辺全体にＥＬ表示装置を配設したパチンコ遊技機が提案されている。このパチンコ遊技機によれば、図柄変動表示装置を適切な大きさに設定することにより遊技領域における遊技性の低減を防止しつつ、窓部周辺に配設されたＥＬ表示装置によって遊技に関連する演出表示を行うことができる。
【０００３】
一方、近年は、従来に比べて遊技領域を大型化したパチンコ遊技機が実用化されている。例えば、特許文献２に記載された従来のパチンコ遊技機では、遊技領域を臨む略円形の窓部が設けられたガラス扉枠下部に上皿を一体的に設けると共に、遊技領域とガラス扉枠の上端又は左右両端から遊技領域までの最小距離を縮小することにより、遊技領域の直径が拡大されている。このパチンコ遊技機によれば、大型の遊技領域内で遊技球を落下させることによって、従来よりもダイナミックな遊技が楽しめるようになっている。
【特許文献１】特開２００４−３３４２４号公報
【特許文献２】特開２００１−２３１９３３号公報
【発明の開示】
【発明が解決しようとする課題】
【０００４】
しかしながら、特許文献１に記載のパチンコ遊技機では、窓枠において窓部の周辺全体に平面的にＥＬ表示装置が配設されているため、表示領域が大型であるにも拘らず表示内容を視認し難いという欠点がある。すなわち、遊技者は、遊技中に主として遊技領域内の図柄変動表示装置に注目するものであり、窓部の周辺に設けられたＥＬ表示装置は、遊技者の視野の中心から大きく外れた位置に存在している。従って、窓部周辺のＥＬ表示装置で演出表示を行っても、表示内容を視認し難いため、遊技者自身の興味を惹くことは少ないと考えられ、十分な演出効果が発揮されない可能性がある。さらに、遊技者の視野の中心から外れた位置にある表示装置において、遊技者に対して提供される各種の情報（宣伝情報や営業案内等）を文字表示等した場合に、遊技に熱中する遊技者は情報表示の内容を見落とす可能性が高いという問題がある。
【０００５】
また、特許文献２に記載のパチンコ遊技機では、ガラス扉枠において遊技領域を臨む窓部が占める割合が大きくなり、窓部周辺のスペースが従来よりも小さくなっている。従って、特許文献１のように、遊技領域の外部に十分な大きさの表示領域を設けることは困難であると考えられる。このため、このようなパチンコ遊技機では、遊技領域内の図柄変動表示装置のサイズを遊技性が低減しない大きさに抑えると共に、当該表示装置にて図柄変動表示及び演出表示の全てを実行させる構成とせざるを得なかった。
【０００６】
解決しようとする課題は、遊技領域における遊技性を低減させることなく遊技領域の内外で見易く画面表示を行うことができる遊技機を提供することである。
【課題を解決するための手段】
【０００７】
以下、上記課題を解決するのに適した各手段につき、必要に応じて作用効果等を付記しつつ説明する。
１．遊技球が打ち込まれる遊技領域を有する遊技盤と、その遊技盤の前面側に設けられ且つ前記遊技領域を外部から視認させる窓が形成された窓枠とを備えた遊技機であって、
前記窓の近傍にて前方へ張り出し且つ前記遊技領域の外縁部の少なくとも一部と正面視で重なるように形成された張出し部と、
前記遊技領域内に設けられ、複数の図柄列を変動表示する第１の表示装置と、
前記張出し部に設けられ、所定の画面表示を行う第２の表示装置と
を備えたことを特徴とする遊技機。
手段１によれば、遊技領域内に設けられ、複数の図柄列を変動表示する第１の表示装置と、遊技領域外の張出し部に設けられ、所定の画面表示を行う第２の表示装置とを備えているので、第１の表示装置を大型化して遊技領域における遊技性を低減させることなく、第１と第２の二つの表示装置を用いて図柄列の変動表示及び遊技の演出や各種の情報提供等に関する所定の画面表示を効果的に行うことができる。また、窓枠の窓近傍にて前方へ張り出し且つ遊技領域の外縁部の少なくとも一部と正面視で重なるように張出し部が形成されているので、窓枠において窓周辺部の面積が小さい構成においても遊技領域の外部に表示装置を配設するためのスペースが確保される。特に、第２の表示装置が設けられる張出し部は窓の近傍に形成されているので、遊技者が遊技領域を視認すると第２の表示装置が視界内に入り、遊技者が遊技に熱中している場合でも、第２の表示装置における画面表示の内容が遊技者によって確実に視認される。また、第２の表示装置が設けられる張出し部は前方へ張り出すことにより遊技者側に接近しているので、第２の表示装置は見易く且つ迫力のある画面表示を行うことができる。尚、張出し部は、遊技領域の外縁部の少なくとも一部と正面視で重なっているが、通常、遊技領域の中心点と最上点との間の領域の前方に遊技者の視点が位置するため、遊技者から遊技領域外縁部に対して斜めに視線が注がれるので、張出し部が遊技領域外縁部の視認を妨げることはなく、遊技領域全体の視認性が確保される。
【０００８】
２．前記第２の表示装置は、正面視において前記第１の表示装置に近接していることを特徴とする手段１に記載の遊技機。
手段２によれば、第２の表示装置が正面視において第１の表示装置に近接しているので、遊技者が第１の表示装置における図柄列の変動表示を注視している際、第２の表示装置が遊技者の視界の中心から近接した位置に存在し、第２の表示装置による画面表示が遊技者によって確実に視認される。
【０００９】
３．前記第１の表示装置と前記第２の表示装置との正面視距離が３０ｍｍ以下であることを特徴とする手段２に記載の遊技機。
手段３によれば、第１の表示装置と第２の表示装置との正面視距離が３０ｍｍ以下であるので、遊技者が第１の表示装置における図柄列の変動表示を注視している際、第２の表示装置は視界の中心から極めて近接した位置に存在する。
【００１０】
４．前記第２の表示装置は、遊技の進行に応じて演出画面表示を行うことを特徴とする手段１乃至３のいずれかに記載の遊技機。
手段４によれば、遊技領域内に設けられた第１の表示装置による複数の図柄列の変動表示に基づいて遊技が進行すると共に、遊技領域外の張出し部に設けられた第２の表示装置が遊技の進行に応じて演出画面表示を行うので、第１と第２の二つの表示装置における画面表示によって遊技の興趣が増大される。
【００１１】
５．前記第１の表示装置が演出画面表示を行うと共に、前記第２の表示装置が前記第１の表示装置に連動して演出画面表示を行うことを特徴とする手段４に記載の遊技機。
手段５によれば、遊技領域内に設けられた第１の表示装置が、複数の図柄列の変動表示に基づく遊技の進行に応じて演出画面表示を行うと、遊技領域外の張出し部に設けられた第２の表示装置が第１の表示装置に連動して演出画面表示を行うので、遊技領域の内外に跨って表示されるダイナミックな演出画面によって遊技の興趣を増大させることができる。
【００１２】
６．前記第２の表示装置は、遊技機内部に記憶された各種の情報を表示することを特徴とする手段１乃至５のいずれかに記載の遊技機。
手段６によれば、遊技領域内に設けられた第１の表示装置による複数の図柄列の変動表示に基づいて遊技が進行すると共に、遊技領域外の張出し部に設けられた第２の表示装置が遊技機内部に記憶された各種の情報を表示するので、遊技者は第１の表示装置における図柄変動表示に基づく遊技の進行を楽しみながら、第２の表示装置における所定の画面表示によって各種の情報を得ることができる。例えば、第２の表示装置が、遊技機内部の記憶媒体に記憶された遊技方法の説明等の情報を表示する構成としてもよい。
【００１３】
７．前記第２の表示装置は、外部から取得した各種の情報を表示することを特徴とする手段１乃至５のいずれかに記載の遊技機。
手段７によれば、遊技領域内に設けられた第１の表示装置による複数の図柄列の変動表示によって遊技が進行すると共に、遊技領域外部の張出し部に設けられた第２の表示装置が外部から取得した各種の情報を表示するので、遊技者は第１の表示装置における図柄変動表示に基づく遊技の進行を楽しみながら、第２の表示装置における所定の画面表示によって各種の情報を得ることができる。例えば、第２の表示装置が、遊技ホールに設置されたホールコンピュータから通信線を介して取得された遊技ホールからのお知らせ等の情報を表示する構成としてもよいし、インターネット等のネットワークを介した取得されたニュースや天気予報等の情報を表示する構成としてもよい。
【００１４】
８．前記第２の表示装置は、少なくとも一つの方向における画面サイズが前記第１の表示装置よりも大きく設定されたことを特徴とする手段１乃至７のいずれかに記載の遊技機。
手段８によれば、第２の表示装置は、少なくとも一つの方向における画面サイズが第１の表示装置よりも大きく設定されているので、第２の表示装置において、よりダイナミックな演出画面表示を行ったり、多くの情報を見易く表示したりすることができる。例えば、第２の表示装置の左右方向の画面サイズが第１の表示装置よりも大きい場合、第２の表示装置において、キャラクタが左右方向へ動く演出画面をよりダイナミックに表示したり、各種のお知らせ等の文字列をより読み易く表示することができる。
【００１５】
９．前記張出し部は、前記遊技領域の上部を左右に跨ぐブリッジ状に形成されたことを特徴とする手段１乃至８のいずれかに記載の遊技機。
手段９によれば、遊技領域の上部を左右に跨ぐブリッジ状に形成された張出し部に第２の表示装置が設けられているので、遊技領域における中心点と最上点との間の領域の前方に位置する遊技者の視点から、第２の表示装置における画面表示を容易に視認することができる。また、第１の表示装置が遊技領域内の中心より上方に設けられる構成では、第２の表示装置が正面視において第１の表示装置に近接するので、遊技者が第１の表示装置における図柄列の変動表示を注視している状態で、第２の表示装置における所定の画面表示を容易に視認することができる。
【００１６】
１０．前記張出し部は、円弧状に湾曲して前方へ張り出し、
前記第２の表示装置は、前記張出し部に沿って湾曲して設けられたことを特徴とする手段１乃至９のいずれかに記載の遊技機。
手段１０によれば、張出し部が円弧状に湾曲して前方へ張り出し、第２の表示装置は、張出し部に沿って湾曲して設けられているので、遊技機の正面方向からだけでなく斜め又は横方向からも第２表示装置の画面表示を視認することができる。よって、例えば、遊技ホールにおいて、店員が斜め又は横方向から第２表示装置の画面表示を視認することにより当該遊技機の遊技状態を知ることができ、札を立てたり、遊技球貯留箱（いわゆるドル箱）を用意する等の作業をすることができる。
【００１７】
１１．前記第２の表示装置は、遊技者方向に向けて傾斜配置されたことを特徴とする手段１乃至１０のいずれかに記載の遊技機。
手段１１によれば、遊技領域外の張出し部に設けられた第２の表示装置が遊技者方向に向けて傾斜配置されているので、遊技者は第２の表示装置における画面表示を容易に視認することができる。例えば、遊技領域の上方に張出し部が設けられる構成においては、第２の表示装置を遊技者方向である斜め下向きに傾斜配置する構成としてもよい。
【００１８】
１２．前記第２の表示装置の傾斜角度を変更可能に構成されたことを特徴とする手段１１に記載の遊技機。
手段１２によれば、第２の表示装置の傾斜角度を変更可能に構成されているので、身長によって視点位置の異なる各遊技者が自分の視線方向と一致するように傾斜角度を調整することにより、画面表示をより一層視認し易くすることができる。また、遊技者が長時間の遊技に疲れて上体の姿勢を変えた場合にも、傾斜角度を調整することにより、第２の表示装置の視認性を確保することができる。例えば、遊技領域の上方に張出し部が設けられる構成においては、第２の表示装置を左右方向の回転軸を中心として上下に回動可能に構成してもよい。
【００１９】
１３．前記張出し部と前記窓との間には、上下に開放された空間部が形成されたことを特徴とする手段１乃至１２のいずれかに記載の遊技機。
手段１３によれば、張出し部と窓との間に形成された上下に開放された空間部を通して遊技領域に光が取り込まれるので、遊技領域における明るさが確保されて遊技者は快適に遊技に興ずることができる。
【００２０】
１４．前記第２の表示装置は、液晶ディスプレイからなることを特徴とする手段１乃至１３のいずれかに記載の遊技機。
手段１４によれば、第２の表示装置が液晶ディスプレイからなるので、高画質で見易い画面表示を行うことができる。
【００２１】
１５．前記第２の表示装置は、有機ＥＬディスプレイからなることを特徴とする手段１乃至１３のいずれかに記載の遊技機。
手段１５によれば、第２の表示装置が有機ＥＬディスプレイからなるので、高画質で見易い画面表示を行うことができる。また、有機ＥＬディスプレイは可撓性を有する材質からなるので、例えば、第２の表示装置を張出し部の形状に沿って湾曲させて配設することも可能となる。
【００２２】
１６．前記第２の表示装置は、ＬＥＤディスプレイからなることを特徴とする手段１乃至１３のいずれかに記載の遊技機。
手段１６によれば、表示装置がＬＥＤディスプレイからなるので、安価な構成で明るく見易い画面表示を行うことができる。
【００２３】
１７．前記第２の表示装置は、タッチパネル式ディスプレイによって構成されたことを特徴とする手段１乃至１６のいずれかに記載の遊技機。
手段１７によれば、第２の表示装置がタッチパネル式ディスプレイによって構成されているので、例えば、遊技者が操作しやすい張出し部に配置されたタッチパネル式ディスプレイに、遊技者が指で触れることによって各種の入力操作を行うことができるように構成してもよい。
【００２４】
１８．前記遊技機は、パチンコ遊技機であることを特徴とする手段１乃至１７のいずれかに記載の遊技機。
手段１８によれば、パチンコ遊技機において、第１と第２の二つの表示装置を用いて図柄列の変動表示及び遊技の演出や各種の情報提供等に関する所定の画面表示を効果的に行うことができる。
【発明の効果】
【００２５】
本発明によれば、遊技領域内に設けられ、複数の図柄列を変動表示する第１の表示装置と、遊技領域外の張出し部に設けられ、所定の画面表示を行う第２の表示装置とを備えているので、第１の表示装置を大型化して遊技領域における遊技性を低減させることなく、第１と第２の二つの表示装置を用いて図柄列の変動表示及び遊技の演出や各種の情報提供等に関する所定の画面表示を効果的に行うことができる。また、窓枠の窓近傍にて前方へ張り出し且つ遊技領域の外縁部の少なくとも一部と正面視で重なるように張出し部が形成されているので、窓枠において窓周辺部の面積が小さい構成においても遊技領域の外部に表示装置を配設するためのスペースが確保される。特に、第２の表示装置が設けられる張出し部は窓の近傍に形成されているので、遊技者が遊技領域を視認すると第２の表示装置が視界内に入り、遊技者が遊技に熱中している場合でも、第２の表示装置における画面表示の内容が遊技者によって確実に視認される。また、第２の表示装置が設けられる張出し部は前方へ張り出すことにより遊技者側に接近しているので、第２の表示装置は見易く且つ迫力のある画面表示を行うことができる。尚、張出し部は、遊技領域の外縁部の少なくとも一部と正面視で重なっているが、通常、遊技領域の中心点と最上点との間の領域の前方に遊技者の視点が位置するため、遊技者から遊技領域外縁部に対して斜めに視線が注がれるので、張出し部が遊技領域外縁部の視認を妨げることはなく、遊技領域全体の視認性が確保される。
【発明を実施するための最良の形態】
【００２６】
以下、本発明の遊技機を具体化した一実施形態のパチンコ遊技機（以下、単に「パチンコ機」と称する）１について図面を参照しつつ説明する。パチンコ機１は、内部の遊技球払い出し機構を利用して遊技球の貸し出しを行うＣＲ機と称されるタイプのパチンコ機であり、遊技ホールでは図示しないカードユニットが隣接配置され且つ電気的に接続される。図１は、本実施形態のパチンコ機１を示す斜視図、図２は、大当り発生時におけるパチンコ機１を示す正面図、図３は、パチンコ機１を示す側面図である。尚、図１、図２では、後述する遊技盤５に設けられる部材の内、図柄変動表示装置５７のみを図示している。
【００２７】
パチンコ機１は、図１乃至図３に示すように、外枠２と、その外枠２の前部に設けられ外枠２の一側部にて開閉可能に支持され且つ遊技領域１４を有する本体枠３とを備えている。外枠２は、パチンコ機１のベースとなる枠であり、板材により全体として矩形状に構成され、本体枠３を矩形開口内にて開閉可能に支持している。また、外枠２前面下部には、合成樹脂、具体的にはＡＢＳ（アクリロニトリル−ブタジエン−スチレン）樹脂からなり、前方へ突出形成された左右一対の脚状部２ａ，２ａが取り付けられている。尚、本実施の形態では、外枠２の上下方向の長さは８０８ｍｍ、左右方向の長さは５２０ｍｍとなっている。
【００２８】
本体枠３は、合成樹脂、具体的にはＡＢＳ樹脂により構成されている。本体枠３の開閉軸線はパチンコ機１の正面から見て左側に上下に延びるように設定されている。尚、外枠２は樹脂により構成されていてもよく、あたかも外枠２及び本体枠３が一体物に見えるように構成されていてもよい。本体枠３には、後述する下皿ユニット５１を除く本体枠３の前面側を覆うように、ガラス扉枠４が本体枠３左端の垂直軸心回りに開閉自在に設けられている。さらに、本体枠３前面に装飾枠６０が取り付けられている。尚、ガラス扉枠４及び装飾枠６０が、本発明の窓枠を構成するものである。
【００２９】
本体枠３の後側（ガラス扉枠４の奥、外枠２の内側）には、図４に示すように、遊技盤５が着脱可能に装着されている。尚、図４は、ガラス扉枠４を開放した状態における本体枠３、遊技盤５等を示す正面図である。遊技盤５は、その周縁部が本体枠３の裏側に当接した状態で取り付けられており、図４では、遊技盤５の前面部の略中央部分だけが本体枠３の前面側に露出した状態となっている。この遊技盤５の上下方向の長さは４７６ｍｍ、左右方向の長さは４５１ｍｍとなっている。また、遊技盤５には、ルータ加工が施されることによって複数の開口部が形成されており、各開口部には、普通入賞チャッカー６、可変入賞装置７、作動チャッカー８、スルーチャッカー１０、図柄変動表示装置５７等が配設されている。
【００３０】
図柄変動表示装置５７は、長方形状を呈する液晶ディスプレイを備え、左図柄列、中図柄列及び右図柄列の３つの表示列が画面表示される。各図柄列は複数の図柄によって構成されており、これら図柄が各図柄列毎にスクロールされるように表示画面に可変表示されるようになっている。尚、図柄変動表示装置５７が、本発明の第１の表示装置を構成するものである。
【００３１】
図柄変動表示装置５７や後述する上部表示装置６８の制御を行う表示制御回路を搭載した表示制御基板や、後述するスピーカ５９ａ等における音声出力の制御を行う音声制御基板を含む各種の制御基板は、図３に示すように、遊技盤５の背面側に設けた透明樹脂製の裏パック５ａによって覆われている。また、パチンコ機１の主制御を行う主制御回路を搭載したメイン基板はメイン基板ボックス５ｂに、入賞による遊技球の払い出しや図示しないカードユニットからの貸し出し要求に基づいて遊技球の払い出しを行う払出ユニット５ｄ及び遊技球の発射を行う発射装置３１の制御を行う払出発射制御基板は払出発射制御基板ボックス５ｃにそれぞれ収納されている。
【００３２】
また、可変入賞装置７は、通常、遊技球Ｂが入賞できない状態又は入賞し難い状態になっている。より詳しくは、作動チャッカー８に対し遊技球Ｂが入賞することに基づいて、図柄変動表示装置５７の液晶表示部の図柄が可変表示される。そして、確定された図柄の組合わせが予め設定した特定の図柄の組合わせとなったこと、ここでは停止した図柄が特定の組み合わせであることを必要条件に特別遊技状態が発生し、可変入賞装置７の大入賞口が所定の開放状態となり（具体的には所定時間、所定回数だけ開く）、遊技球Ｂが入賞しやすい状態（大当り遊技状態）になるよう構成されている。尚、図柄変動表示装置５７において変動表示される複数の図柄列のうち、１つを除く他の図柄列の停止時の組合せが大当り図柄の組合せであるリーチ遊技状態となったときに、図柄変動表示装置５７においてリーチ演出画面が表示されると共に、リーチ遊技状態の発生がスピーカ５９ａ等から出力される効果音によって報知される。
【００３３】
また、周知のとおり、前記一般入賞口６、可変入賞装置７、作動チャッカー８に遊技球Ｂが入賞することに基づいて、後述する上皿５４（場合によっては下皿５３）に対し所定数の遊技球が景品球として払い出されるようになっている。また、遊技盤５には、遊技球Ｂの落下方向を適宜分散、調整等するために多数の釘が植設されているとともに、風車９等の各種部材（役物）が配設されている。
【００３４】
さて、本体枠３は、図４に示すように、外形が前記外枠２とほぼ同一形状をなす樹脂ベース１１と、この樹脂ベース１１の最内周側に位置し略円弧状をなすよう一体形成された内レール１２と、主として図の左側の内レール１２に対し所定間隔を隔てて前記樹脂ベース１１に一体形成された外レール１３とを備えている。これら内レール１２及び外レール１３は遊技球発射ハンドル５２の回動操作に基づき発射装置３１から発射された遊技球Ｂを遊技盤５上部へ案内する発射路としての役割を主として果たすものである。従って、内レール１２と外レール１３とが並行する部分（向かって左側の部分）によって、誘導レールが構成されることとなる。
【００３５】
前記内レール１２の下端部付近において、遊技盤５には遊技球Ｂを導出するアウト口２５が形成されている。そして、遊技盤５の下部に落下した遊技球の多くは、このアウト口２５を通って図示しない球排出路の方へと案内されるようになっている。このような構成の下、本体枠３の内周側の窓孔によって主として遊技領域１４の外縁部１４ａが確定されており、本体枠３に対し遊技盤５が装着された状態にあっては、内レール１２及び外レール１３が遊技盤５に当接又は近接した状態となる。そして、発射装置３１により発射された遊技球Ｂは、主として外レール１３によって遊技盤５の上部へと案内される。また、遊技盤５には、遊技球の払い出しを行う払出口３２が設けられ、この払出口３２に連通するようにガラス扉枠４側に払出口４５が設けられている。
【００３６】
次に、遊技領域１４について説明する。本実施の形態では、遊技領域１４を、パチンコ機１の正面から見て、内レール１２及び外レール１３によって囲まれる領域のうち、内外レール１２，１３の並行部分である誘導レールの領域を除いた略円形状の領域としている。また、パチンコ機１において、外レール１３の最上部地点から遊技盤５下部までの間の距離は４６２ｍｍ、外レール１３の極左位置から内レール１２の極右位置までの間の距離は４４９ｍｍとなっている。また、内レール１２の極左位置から内レール１２の極右位置までの間の距離は４３２ｍｍとなっている。尚、遊技領域１４の形状は、略円形状には限られず、略楕円形状や略矩形状としても構わない。
【００３７】
併せて、図１、２及び図４に示すように、ガラス扉枠４の存在していない本体枠３下部は、例えばＡＢＳ樹脂よりなる下皿ユニット５１となっている。下皿ユニット５１の右下部からは、遊技球発射用ハンドル５２が手前側に延設されている。また、下皿ユニット５１のほぼ中央部には球受け皿としての景品球払出用の下皿５３が設けられている。
【００３８】
次に、ガラス扉枠４について、図５及び図６を参照しつつ説明する。ガラス扉枠４には、遊技領域１４の殆どを外部から視認することができるように略円形状の窓部４１が形成されている。尚、窓部４１が、本発明における遊技領域を外部から視認させる窓に相当するものである。具体的には、窓部４１は、その左右側の略中央部が、上下側に比べて比較的緩やかに湾曲した形状となっている。なお、前記略中央部が直線状になるようにしてもよい。
【００３９】
また、窓部４１の左端と、ガラス扉枠４の左端との間の最短距離（いわゆる左側部フレーム部分の左右幅）は、ガラス扉枠４自体の強度及び支持強度を高めるために比較的大きく設定されている。より詳しくは、ガラス扉枠４が閉じられた状態において、外レール１３の左側部は勿論、内レール１２の左側部も前記左側部フレーム部分によって覆い隠される。すなわち、誘導レールの一部が覆い隠される。このように遊技球Ｂが一時的に視認困難となったとしても、それは、遊技球Ｂが遊技領域１４に案内される通過点に過ぎず、遊技者が主として遊技を楽しむ遊技領域１４において遊技球Ｂが視認困難となるわけではない。そのため、実際の遊技に際しては何ら支障が生じない。また、このような支障が生じない一方で、ガラス扉枠４の十分な強度及び支持強度が確保可能となっている。
【００４０】
また、ガラス扉枠４には、裏側から一対のガラス板４２が並行して取り付けられている。ガラス扉枠４の左右方向の長さは、本体枠３とほぼ同等であり、そのガラス扉枠４によって本体枠３下部に設けられた下皿ユニット５１を除く殆どの部分が覆われるようになっている。
【００４１】
また、ガラス扉枠４前面上部には、図１乃至図３及び図５に示すように、遊技領域１４上部を左右方向に跨ぎつつ前方へ張り出すブリッジ状の張出し部上面部４７が形成されている。このため、張出し部上面部４７とガラス扉枠４本体前面との間には、上下に開放された空間部４６ｈが形成される。張出し部上面部４７の中央では、ガラス扉枠４の本体前面より前方へ数ｃｍ〜十数ｃｍ程度張り出している（図３参照）。また、張出し部上面部４７の左右の付け根部分の下側に隣接して、それぞれスピーカ５９ａ，５９ａが取り付けられている（図５参照）。尚、以下の説明では、張出し部上面部４７と後述する張出し部前面部６７とから構成された遊技領域１４上部を左右方向に跨ぐブリッジ状部分を張り出し部４６と称することとする。
【００４２】
ガラス扉枠４における窓部４１下方の下部フレームには、上皿５４が一体的に設けられている。図６（ａ）は、上皿付近の上面図であり、（ｂ）は上皿における遊技球の流れを示す上面図である。上皿５４は、合成樹脂を成形することによって製造され、図６（ａ）に示すように、ガラス扉枠４の払出し口４５より払い出された遊技球及び遊技者により投入された遊技球を貯留する貯留部５４ａ、払出し口４５より払い出された遊技球を貯留部５４ａへ流入させる流入口５４ｌ、及び貯留部５４ａに貯留された遊技球をガラス扉枠４の供給穴４９を通して発射装置３１側へ供給する供給口５４ｒを有し、流入口５４ｌ及び供給口５４ｒの後端面においてガラス扉枠４にビス等を用いて取り付け固定されている。
【００４３】
上皿５４の貯留部５４ａは、流入口５４ｌ及び供給口５４ｒに連続する底面部５４ｂと、底面部５４ｂの周囲を取り囲むように立設された前壁部５４ｃと、底面部５４ｂを挟んで前壁部５４ｃと対向するように流入口５４ｌと供給口５４ｒとの間に立設され且つ前壁部５４ｃ側へ凸状となるようにに湾曲形成された後壁部５４ｄとを有している。底面部５４ｂは、左右方向に細長く且つガラス扉枠４から前方へ張り出すように形成されている。また、底面部５４ｂ後部の流入口５４ｌと供給口５４ｒとの間には前方側へ凹状をなす凹状輪郭部５４ｕが形成され、上述した後壁部５４ｄは凹状輪郭部５４ｕに沿って立設されている。後壁部５４ｄは、左右方向中央部でガラス扉枠４より数十ｍｍ程度（例えば、３０〜５０ｍｍ）前方側へ離間しており、後壁部５４ｄ背面とガラス扉枠４前面との間に空間部５４ｈが形成される構造となっている。
【００４４】
貯留部５４ａの底面部５４ｂ上には、後壁部５４ｄの右側に、遊技球を一列に整列させて供給口５４ｒより供給穴４９を通して発射装置３１側へ流下させる整流部５４ｅが設けられている。整流部５４ｅには、遊技球を後述する直線部５４ｆへ誘導するための傾斜壁５４ｋが、直線部５４ｆを挟んで前壁部５４ｃ側及び後壁部５４ｄ側に形成されており、遊技球の流路が徐々に狭まる構造となっている。また、整流部５４ｅには、底面部５４ｂ上で前後方向に延設され且つ前方側から供給穴４９の位置する後方側に向かって下り傾斜する直線部５４ｆが設けられ、この直線部５４ｆの底面に細長い長方形状の金属板５４ｍが装着されている。金属板５４ｍは、遊技球の流れをスムーズにする機能、底面を補強して摩擦による削れを防止する機能、ノイズを防止する機能等を有している。また、金属板５４ｍの下流端側には球抜き穴５４ｊが形成されている。この球抜き穴５４ｊは、通常の状態において直線部５４ｆの底面裏側をスライド自在に設けられる開閉弁５４ｉによって閉塞されており、開閉弁５４ｉが前壁部５４ｃに設けられる球抜きボタン５４ｇの押下操作により移動されたときに、球抜き穴５４ｊが開放されて貯留部５４ａ内に貯留されていた遊技球を図示しない球抜き通路を介して下皿５３に移動せしめるものである。
【００４５】
ここで、上皿５４の貯留部５４ａにおける遊技球Ｂの流れについて、図６（ｂ）を参照しつつ説明する。遊技球Ｂは、払出口４５より払い出されると流入口５４ｌより貯留部５４ａ内に流入し、緩やかに右下がりに傾斜する底面部５４ｂと、前壁部５４ｃ及び後壁部５４ｄとに案内されて貯留部５４ａ右側の供給口５４ｒへ向かって転動して整流部５４ｅに到達する。また、遊技者によって遊技球Ｂが貯留部５４ａ内へ投入された場合も、同様に、底面部５４ｂ等に案内されて転動して整流部５４ｅへ到達する。そして、遊技球Ｂは整流部５４ｅの直線部５４ｆを挟んで両側に設けられた傾斜壁５４ｋによって誘導されて一列に整列されると共に、直線部５４ｆ上を下り傾斜する後方側（ガラス扉枠４側）へ転動して金属板５４ｍの下流端より供給穴４９へ流下する。供給穴４９から図示しない球送り装置へ供給された遊技球は、１個ずつ発射レール３３に導かれ、発射装置３１によって発射される。
【００４６】
また、ガラス扉枠４下部の左右両側には、図５に示すように、下方へ延設された一対の延設部４４，４４が設けられている。本体枠３を外枠２側へ閉じた際に、延設部４４，４４が、外枠２下部前面の左右に設けられた脚状部２ａ，２ａ上面にてそれぞれ当接支持される（図１参照）。
【００４７】
次に、装飾枠６０について、図７を参照しつつ説明する。装飾枠６０は、ガラス扉枠４の窓部４１を除き上部の張出し部上面部４７から下部の上皿５４に至る前面部分を覆う部材であり、合成樹脂の成形加工によって形成される。
【００４８】
装飾枠６０上部には、ガラス扉枠４の張出し部上面部４７前面を覆うブリッジ状の張出し部前面部６７が形成され、張出し部前面部６７の中央には左右に長い長方形状の上部表示装置６８が、斜め下向きに傾斜して配設されており、その張出し部６８の左右にスピーカ５９ａ，５９ａを臨ませるスピーカ用開口部６０ｃ，６０ｃが形成されている。尚、上部表示装置６８が、本発明の第２の表示装置を構成するものである。張出し部前面部６７は、パチンコ機１上部前面部を装飾する装飾部材及び上部表示装置６８の支持部材としての役割を果たしており、赤、青、黄等に着色してもよく、透明樹脂により構成してもよい。張出し部４６（張出し部前面部６７）は、正面視で遊技領域外縁部１４ａと所定の重なり幅で重なるように形成されている。張出し部前面部６７と遊技領域外縁部１４ａとの重なり幅は、張出し部前面部６７中央付近（遊技領域外縁部１４ａ最上部近傍）では相対的に狭く設定され、最右部又は最左部へ向かうに従って徐々に広くなるように設定されている。従って、上部表示装置６８も正面視で遊技領域外縁部１４ａと所定の重なり幅で重なる位置関係となっており、上部表示装置６８と遊技領域外縁部１４ａとの重なり幅ｗ１は２０ｍｍである。
【００４９】
上部表示装置６８は、有機ＥＬディスプレイ（ＥＬは、エレクトロルミネッセントの略）からなり、図柄変動表示装置５７と連動して演出画面表示を行う。例えば、図柄変動表示装置５７において変動表示される複数の図柄列のうち、１つを除く他の図柄列の停止時の組合せが大当り図柄の組合せであるリーチ遊技状態となったときに、上部表示装置６８はは図柄変動表示装置５７と連動してリーチ演出表示を行う。また、図柄変動表示装置５７において全ての図柄列の停止時の組合せが大当り図柄の組合せである大当り遊技状態となったときに、上部表示装置６８は図柄変動表示装置５７と連動して大当り演出表示を行う。図２は、大当り発生時におけるパチンコ機１の様子を示しており、図柄変動表示装置５７では「７」の図柄が左右に３つ並んだ画面表示が、上部表示装置６８では、「大当り！」のメッセージ表示がそれぞれ行われている。
【００５０】
装飾枠６０下部右端には、遊技球の貸し出しに関する操作を行うための貸球操作部６６が配設されている。貸球操作部６６は、図１、２及び図７に示すように、遊技球の貸し出し可能状態をランプによって示す貸出ボタンランプ６６ａ、遊技球の貸し出しを行うための貸出ボタン６６ｂ、プリペイドカードの返却を行うための返却ボタン６６ｃ、プリペイドカードの残り度数を表示する度数表示ＬＥＤ６６ｄとを備えている。
【００５１】
装飾枠６０の略中央には、略円形状の窓用開口部６０ａが形成され、ガラス扉枠４の窓部４１に装着されたガラス板４２を介して遊技領域１４を視認可能となっている。窓用開口部６０ａ周縁は正面視で遊技領域外縁部１４ａと所定の重なり幅で重なっているが、遊技者視点から遊技領域外縁部１４ａに対して斜めに視線が注がれるので、視認性は確保される。窓用開口部６０ａ周縁部は、窓部の周囲を装飾する装飾部材としての役割を果たしており、赤、青、黄等に着色してもよく、透明樹脂により構成してもよい。
【００５２】
装飾枠６０の窓用開口部６０ａの下方には、上皿５４前面を覆うように前方へ膨出形成された膨出部６３が設けられている。膨出部６３は、図１に示すように、装飾枠６０をガラス扉枠４に取り付けた際に上皿５４を収容可能な空間が内部に形成されつつ、所望形状で前側（遊技者側）に膨出形成されたものであり、上皿５４上面を開口させる上皿用開口部６３ａが形成されている。この上皿用開口部６３ａにおいて上皿５４が外部に露出しているため、上皿５４に貯留された遊技球を取り出したり、或いは上皿５４の貯留部５４ａに遊技球を補充したりすることができる。
【００５３】
次に、遊技者の視界と図柄変動表示装置５７及び上部表示装置６８との関係について、図８乃至１０を参照しつつ説明する。まず、遊技者とパチンコ機１との位置関係について、図８を参照しつつ説明する。図８において、平均的な体格の遊技者の視点位置（遊技者視点イ）は、遊技領域１４表面より長さａ（５００ｍｍ）前方、パチンコ機１最上部より長さｂ（１５０ｍｍ）下方、床面からの高さｃ（１３００ｍｍ）、遊技領域１４最上点ハより長さｅ（１００ｍｍ）下方に位置するものとする。そして、上部表示装置６８と遊技領域１４表面との距離ｄは、好ましくは、５０ｍｍ以上４００ｍｍ未満であり、より好ましくは、１００ｍｍ以上３００ｍｍ未満である。また、図９は、張出し部前面部６７と遊技領域１４とが正面視で重なる様子を示す装飾枠６０の正面図であり、張出し部前面部６７と遊技領域１４との重なり幅（点ロ−点ハ間の正面視距離）はｗ１である。
【００５４】
図１０は、図９におけるＡ−Ａ線断面図である。図１０において、遊技者視点イは遊技領域１４内の図柄変動表示装置５７の前方に位置している。そして、図柄変動表示装置５７と上部表示装置６８とは正面視で上下に近接した位置関係にある（正面視距離ｆが５０ｍｍ以下である）ため、遊技者視点イを基準とする視界内に図柄変動表示装置５７及び上部表示装置６８の全体が含まれることがわかる。さらに、遊技者視点イと張出し部４６最下点ロとを結ぶ直線Ｌ２が、遊技者視点イと遊技領域１４最上点ハとを結ぶ直線Ｌ１よりも上方に位置するため、最上点ハを含む遊技領域１４の上部外縁部に対する視認性は、張出し部４６（張出し部前面部６７）によって妨げられていないことがわかる。
【００５５】
以上詳述したことから明らかなように、本実施形態のパチンコ機１は、遊技球が打ち込まれる遊技領域１４を有する遊技盤５と、その遊技盤５の前面側に設けられ且つ遊技領域１４を外部から視認させる窓部４１が形成されたガラス扉枠４及びその前面に設けられる装飾枠６０とを備え、窓部４１の近傍（上方）にて前方へ張り出し且つ遊技領域外縁部１４ａ上部と正面視で重なるように形成された張出し部４６と、遊技領域１４内に設けられ、複数の図柄列を変動表示する図柄変動表示装置５７と、張出し部４６に設けられ、所定の画面表示を行う上部表示装置６８とを備えている。
【００５６】
本実施形態によれば、遊技領域１４内に設けられ、複数の図柄列を変動表示する第１の表示装置としての図柄変動表示装置５７と、遊技領域１４外の張出し部４６（張出し部前面部６７）に設けられ、所定の画面表示を行う第２の表示装置としての上部表示装置６８とを備えているので、図柄変動表示装置５７をさらに大型化して遊技領域１４における遊技性を低減させることなく、図柄変動表示装置５７及び上部表示装置６８の二つの表示装置を用いて図柄列の変動表示及び遊技の演出や各種の情報提供等に関する所定の画面表示を効果的に行うことができる。また、窓部４１近傍にて前方へ張り出し且つ遊技領域外縁部１４ａ上部と正面視で重なるように張出し部４６（張出し部前面部６７）が形成されているので、遊技領域１４の外部に上部表示装置６８を配設するためのスペースが確保される。特に、張出し部４６は窓部４１近傍に形成されているので、遊技者が遊技領域１４を視認すると上部表示装置６８が視界内に入り、遊技者が遊技に熱中している場合でも、上部表示装置６８における画面表示の内容が遊技者によって確実に視認される。また、張出し部４６は前方へ張り出すことにより遊技者側に接近しているので、上部表示装置６８は見易く且つ迫力のある画面表示を行うことができる。尚、張出し部４６は、遊技領域外縁部１４ａ上部と正面視で重なっているが、通常、遊技領域の中心点と最上点との間の領域の前方に遊技者の視点が位置するため、遊技者から遊技領域外縁部１４ａに対して斜めに視線が注がれるので、張出し部４６が遊技領域外縁部１４ａの視認を妨げることはなく、遊技領域１４全体の視認性が確保される。
【００５７】
また、上部表示装置６８が正面視において図柄変動表示装置５７に近接しているので、遊技者が図柄変動表示装置５７における図柄列の変動表示を注視している際、上部表示装置６８が遊技者の視界の中心から近接した位置に存在し、上部表示装置６８による画面表示が遊技者によって確実に視認される。尚、図１０において、図柄変動表示装置５７と上部表示装置６８との正面視距離ｆは５０ｍｍ以下であることが好ましく、さらに好ましくは３０ｍｍ以下である。
【００５８】
また、図柄変動表示装置５７による複数の図柄列の変動表示に基づいて遊技が進行すると共に、上部表示装置６８が遊技の進行に応じて大当り演出画面等の演出画面表示を行うので、上記二つの表示装置における画面表示によって遊技の興趣が増大される。
【００５９】
また、上部表示装置６８は、左右方向の画面サイズが図柄変動表示装置６８よりも大きいので、よりダイナミックに演出画面の表示を行うことができる。
【００６０】
また、ガラス扉枠４前面の一部を覆う装飾枠６０を備え、その装飾枠６０に張出し部前面部６７が形成されているので、遊技領域外縁部１４ａの視認性を確保しつつ、装飾枠６０の面積を大きくすることができる。そして、張出し部前面部６７に上部表示装置６８を配設することにより、表示装置が窓部４１の近傍且つ前方にて遊技領域外縁部１４ａの少なくとも一部と正面視で重なるように配設される構造を十分な強度を確保しつつ実現することができる。
【００６１】
また、張出し部４６と窓部４１との間には、上下に開放された張出し部空間部４６ｈが形成され、張出し部空間部４６ｈを通して遊技領域１４に光が取り込まれるので、遊技領域１４における明るさが確保されて遊技者は快適に遊技に興ずることができる。
【００６２】
また、張出し部前面部６７に設けられた上部表示装置６８が遊技者方向である斜め下向きに傾斜配置されているので、遊技者は上部表示装置６８における画面表示を容易に視認することができる。
【００６３】
尚、本発明は上述した各実施の形態に限定されるものではなく、本発明の主旨を逸脱しない範囲で種々の変更を施すことが可能である。例えば、前記実施形態において示した張出し部４６（張出し部前面部６７）と遊技領域外縁部１４ａとの正面視における重なり幅の寸法は、一例を示したものであり、適宜変更して実施してもよいことは勿論である。
【００６４】
また、円弧状に湾曲して前方へ張り出す張出し部４６に沿って、上部表示装置６８を円弧状に湾曲させて設ける構成としてもよい。本変形例によれば、パチンコ機１の正面方向からだけでなく斜め又は横方向からも上部表示装置６８の画面表示を視認することができる。よって、例えば、遊技ホールにおいて、店員が斜め又は横方向から上部表示装置６８の画面表示を視認することにより当該パチンコ機１の遊技状態を知ることができ、札を立てたり、遊技球貯留箱（いわゆるドル箱）を用意する等の作業をすることができる。
【００６５】
また、前記実施形態では、張出し部前面部６７を有する装飾枠６０をガラス扉枠４とは別体で形成してガラス扉枠４に取り付ける構成としたが、装飾枠６０とガラス扉枠４とを一体的な部材として形成し、装飾枠６０側の張出し部前面部６７をガラス扉枠４側の張出し部上面部４７と一体化して張出し部４６を形成する構成としてもよい。
【００６６】
また、前記実施形態では、図柄変動表示装置５７で図柄変動表示画面を表示し、上部表示装置６８で大当り発生を文字でメッセージ表示する例を示したが（図２参照）、上部表示装置６８で図柄変動表示画面の図柄に関連した演出画面を表示するようにしてもよい。例えば、図１１では、図柄変動表示装置５７で複数の犬のキャラクタを含む図柄変動表示画面を表示すると共に、上部表示装置６８で図柄変動表示画面中の一つの犬のキャラクタが右から左に向かって走る様子が表示された第一の変形例を示している。尚、上部表示装置６８の左右方向の画面サイズは図柄変動表示装置５７よりも大きいので、よりダイナミックな演出画面表示を行うことができる。
【００６７】
また、図１２に示す第二の変形例のように、上部表示装置６８が左右方向の回転軸６８ｃを中心として上下に回動可能となるように構成してもよい。本変形例によれば、上部表示装置６８が傾斜角度を変更可能に構成されているので、身長によって視点位置の異なる各遊技者が自分の視線方向と一致するように上部表示装置６８の傾斜角度を調整することにより、画面表示をより一層視認し易くすることができる。また、遊技者が長時間の遊技に疲れて上体の姿勢を変えた場合にも、傾斜角度を調整することにより、上部表示装置６８の視認性を確保することができる。
【００６８】
また、前記実施形態では、張出し部前面部６７の中央部に上部表示装置６８を設ける構成としたが、図１３に示す第三の変形例のように、さらに、張出し部前面部６７の右寄り位置に右上部表示装置６９を、同じく左寄り位置に左上部表示装置６９’をそれぞれ配置する構成としてもよい。本変形例によれば、遊技盤５の遊技領域１４内に設けられた図柄変動表示装置５７、遊技領域１４外の張出し部４６（張出し部前面部６７）に設けられた上部表示装置６８、右上部表示装置６９、左上部表示装置６９’によって遊技の興趣を増大させることができる。
【００６９】
また、前記実施形態では、上部表示装置６８が遊技の実行に関連した演出画面表示を行う構成としたが、遊技ホール内の通信線やインターネット等の通信回線を通じて外部より受信した各種の情報に基づいて画面表示を行うように構成してもよい。図１４は、第四の変形例におけるパチンコ機１を用いた情報提供システム３０１のシステム構成を示す図である。また、図１５は、パチンコ機１における情報表示の流れを示すブロック図である。情報提供システム３０１は、図１４に示すように、遊技ホール外の情報提供センタ等に設けられる情報サーバ３０２と、情報サーバ３０２が接続されたインターネット網３０３と、遊技ホール側に設けられてインターネット網３０３に接続されたホールサーバ３０４と、遊技ホール内に設けられた通信線３０５と、遊技ホール内に設置されて通信線３０５を介してホールサーバ３０４と接続された複数のパチンコ機１，・・１とから構成される。
【００７０】
情報サーバ３０２には、各種情報の表示用データが記憶されており、当該記憶された表示用データを、インターネット網３０３を介して各遊技ホールのホールサーバ３０４に対して定期的に配信する。情報サーバ３０２によって配信される表示用データは、地域の飲食店情報等の広告情報、ニュース、天気予報等である。ホールサーバ３０４は、インターネット網３０３を介して表示用データを受信して内部の記憶装置に記憶する。また、ホールサーバ３０４は、遊技ホールにおいて入力された表示用データをも記憶装置に記憶する。尚、遊技ホールにおいて入力される表示用データは、新台入れ替え情報、遊技機の新機種情報、景品情報、遊技ホールからのお知らせ等である。そして、ホールサーバ３０４は、記憶した表示用データを通信回線３０５を介して所定のタイミングで各パチンコ機１へ送信する。
【００７１】
各パチンコ機１は、図１５に示すように、通信インタフェース（Ｉ／Ｆ）において各種情報の表示用データを受信すると表示制御回路へ送り、表示制御回路は上部表示装置６８において各種情報の表示を行う。一方、主制御回路は、遊技の進行に関する情報を表示制御回路へ送り、表示制御回路は図柄変動表示装置５７及び上部表示装置６８においてそれぞれの演出画面表示を行う。より具体的には、通常の遊技状態において、上部表示装置６８に各種情報を表示し、リーチ遊技状態や大当り遊技状態等の特定の遊技状態においてのみ、上部表示装置６８で演出画面表示を行うように画面表示の切り替えを行う構成としてもよい。図１６は、上部表示装置６８において遊技ホールの新台入れ替え情報を表示した例を示している。尚、外部から各種情報を受信して表示する構成に加えて（或いはこれに代えて）パチンコ機１内部のＲＯＭ等の記憶媒体に遊技方法説明等の情報を予め記憶しておき、これらの情報を所定のタイミングで上部表示装置６８にて表示する構成を採用してもよい。
【００７２】
また、前記実施形態では、上部表示装置６８を有機ＥＬディスプレイにより構成したが、図柄変動表示装置５７と同様に液晶ディスプレイにより構成してもよい。液晶ディスプレイを用いることにより、高画質で見易い画面表示を行うことができる。或いは、上部表示装置６８をＬＥＤディスプレイにより構成してもよい。ＬＥＤディスプレイを用いることにより、安価な構成で見易い画面表示を行うことができる。さらに、例えば、上述した第四の変形例において上部表示装置６８をタッチパネル式ディスプレイにより構成してもよい。タッチパネル式ディスプレイを用いることにより、遊技者が指で上部表示装置６８の表面に触れることによって容易に各種の入力操作を行うことができる。具体的には、上部表示装置６８に表示させたい各種情報の選択入力を行えるようにしてもよいし、タッチパネル式ディスプレイ上に球貸しボタン等を表示させて貸し球操作部を構成するようにしてもよい。
【００７３】
また、前記実施形態では、張出し部４６を左右方向へ跨って設け、窓部４１の上方且つ前方に上部表示装置６８を設ける構成としたが、窓部４１の上方以外の近傍且つ前方に表示装置を設ける構成としてもよい。例えば、図１７に示す第五の変形例のパチンコ遊技機１’のように、ガラス扉枠４の前面右端に遊技領域１４の右端部分を上下方向に跨ぐブリッジ状の外観を呈する張出し部４６’を設け、張出し部４６’上に縦長の右側表示装置６８’を斜め左向き（遊技者方向）に傾斜させて配設するように構成してもよい。
【産業上の利用可能性】
【００７４】
本発明は、遊技領域を有する遊技盤と、前記遊技盤の前面側に設けられ且つ前記遊技領域を外部から視認させる窓が形成された窓枠とを備えた各種遊技機に適用可能である。
【図面の簡単な説明】
【００７５】
【図１】本発明の一実施形態としてのパチンコ機を示す斜視図である。
【図２】パチンコ機を示す正面図である。
【図３】パチンコ機を示す側面図である。
【図４】ガラス扉枠を開放した状態における本体枠、遊技盤等を示す正面図である。
【図５】ガラス扉枠を示す正面図である。
【図６】（ａ）は上皿付近の上面図であり、（ｂ）は上皿における遊技球の流れを示す上面図である。
【図７】装飾枠を示す正面図である。
【図８】遊技者の視点位置とパチンコ機との関係を模式的に示す側面図である。
【図９】張出し部と遊技領域との重なり幅を示す正面図である。
【図１０】図９における張出し部及び遊技領域のＡ−Ａ線断面図である。
【図１１】第一の変形例における画面表示例を示すパチンコ機の正面図である。
【図１２】第二の変形例における張出し部及び遊技領域の断面図である。
【図１３】第三の変形例におけるパチンコ機を示す正面図である。
【図１４】第四の変形例におけるパチンコ機を用いた情報提供システムを示すシステム構成図である。
【図１５】第四の変形例における画面表示の流れを示すブロック図である。
【図１６】第四の変形例におけるパチンコ機の上部表示装置において新台入れ替え情報を表示した例を示す図である。
【図１７】第五の変形例のパチンコ機を示す斜視図である。
【符号の説明】
【００７６】
１    パチンコ遊技機（遊技機）
３    本体枠
４    ガラス扉枠（窓枠）
５    遊技盤
１４    遊技領域
１４ａ  遊技領域外縁部
４１    窓部
４６    張出し部
４６ｈ  張出し部空間部（空間部）
４７    張出し部上面部
６０    装飾枠（窓枠）
６７    張出し部前面部
６８    上部表示装置
６８’  右側表示装置
６９    右上部表示装置
６９’  左上部表示装置
【図１】
2006223689.tif 000003
【図２】
2006223689.tif 000004
【図３】
2006223689.tif 000005
【図４】
2006223689.tif 000006
【図５】
2006223689.tif 000007
【図６】
2006223689.tif 000008
【図７】
2006223689.tif 000009
【図８】
2006223689.tif 000010
【図９】
2006223689.tif 000011
【図１０】
2006223689.tif 000012
【図１１】
2006223689.tif 000013
【図１２】
2006223689.tif 000014
【図１３】
2006223689.tif 000015
【図１４】
2006223689.tif 000016
【図１５】
2006223689.tif 000017
【図１６】
2006223689.tif 000018
【図１７】
2006223689.tif 000019